(57)【要約】【課題】ベッド近傍に設置した表示部の寿命に達するまでの期間を長くしたり、表示部の省電力を実現したりする効果を顕著にする。【解決手段】患者情報および呼出情報を表示可能な表示部１３を備えた端末１０をベッド近傍に設置し、ベッド上に人が居ることを検知するベッドセンサー２０と端末１０に近付く人を検知する人感センサー１４とを設け、ベッドセンサー２０がベッド上の人を検知し、かつ、人感センサー１４が人を検知した場合には、表示部１３に電力を供給し、ベッドセンサー２０がベッド上の人を検知し、かつ、人感センサー１４が人を検知しない場合でも、ナースコール子機１が呼び出しを行っている場合には表示部１３に電力を供給して呼出情報を表示させ、それ以外の場合には、表示部１３に電力を供給しないようにしている。これにより、ベッド近傍の端末１０の表示部１３に対して、適切に電力を供給することができる。【選択図】図１
2011206254.tif 000002
【特許請求の範囲】
【請求項１】
ベッドの近傍に設置され、呼び出し操作を行うためのナースコール子機と、
ナースステーションに設置され、前記ナースコール子機からの呼び出しを報知するナースコール親機と、
前記ベッドの近傍に設置され、患者の氏名を示す患者情報および前記ナースコール子機から呼び出しが行われていることを示す呼出情報を少なくとも表示する表示部を備えた端末と、
前記ベッド上に人が居ることを検知するベッドセンサーと、
前記端末に近付く人を検知する人感センサーと、
前記ベッドセンサーがベッド上の人を検知して前記人感センサーが人を検知した場合には前記表示部に電力を供給し、前記ベッドセンサーがベッド上の人を検知して前記人感センサーが人を検知しない場合でも、前記ナースコール子機が呼び出しを行っているときには前記表示部に電力を供給して前記表示部に前記呼出情報を表示させ、それ以外の場合には、前記表示部に電力を供給しないようにする制御装置と、
を備えたことを特徴とするナースコールシステム。
【発明の詳細な説明】
【技術分野】
【０００１】
本発明は、患者や被介護者が医療従事者や介護者を呼び出すためのナースコールシステムに関し、特に、患者のベッドの近傍に端末を設置したナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）がナースコール子機の呼出操作部を操作することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携行する携帯端末（例えば、ＰＨＳ（Personal Handy phone System）端末など）とＰＢＸ（Private Branch Exchange：電話交換機）とを備えたナースコールシステムも提供されている。
【０００４】
このようなナースコールシステムは、患者がナースコール子機の呼出操作部を操作した場合に、ナースコール子機からナースコール親機へ呼出信号を出力し、呼出信号を入力したナースコール親機にてスピーカから報知音を鳴らしたり、患者毎に設けたランプを点灯／点滅させたり、表示ディスプレイに呼び出しが行われたことを表示させたりして、呼び出しを報知するようにしている。
【０００５】
ところで、病室のベッドを利用する患者の氏名などの情報を、名札などの代わりに、ベッドの近傍に設置した端末の表示部に表示することが知られている（例えば、特許文献１など）。しかしながら、特許文献１に記載の技術では、ベッド近傍に設置した端末の表示部に常に電力が供給され、表示部に情報が表示され続けるので、表示部を構成する液晶ディスプレイなどの装置の寿命に達するまでの期間が短くなってしまうという問題があった。また、表示部に常に電力が供給されているため、省電力を実現することができなくなってしまうという問題があった。
【０００６】
このような問題を解決するために、遊戯機器の表示装置の前面に超音波センサーや焦電型赤外線センサーなどからなる人感センサーを取り付け、遊戯機器の前に遊戯者が居る場合にのみ表示装置に電力を供給する技術が知られている（例えば、特許文献２など）。また、特許文献２には、遊戯者が遊戯機器の前に設置された椅子に座ったことを検知した場合にのみ表示装置に電力を供給することも記載されている。
【０００７】
この特許文献２に記載されている技術をベッドの近傍に設置した端末の表示部に適用し、端末の前面に設置した人感センサーがベッド上の人を検知した場合にのみ端末の表示部に電力を供給したり、ベッド上に設置したベッドセンサーがベッド上の人を検知した場合にのみ端末の表示部に電力を供給したりすることで、表示部の寿命に達するまでの期間を長くしたり、省電力を実現したりすることができる。しかしながら、病院などの施設では、患者がベッド上に居る時間が長く、患者がベッド上に居るときには表示部に電力が供給されるため、上述した効果が顕著に得られなくなってしまうという問題があった。
【０００８】
一方、端末の前面に人感センサーを設置し、その人感センサーがベッドの近傍に居る医療従事者を検知した場合にのみ端末の表示部に電力を供給することで、表示部の寿命に達するまでの期間を長くしたり、省電力を実現したりすることもできる。しかしながら、医療従事者が移動する際に、患者が不在状態のベッドや、使用する患者が決まっていない状態の空きベッドの前を医療従事者が通っただけでも、それらのベッドの近傍に設置された端末の表示部に電力が供給されてしまうため、上述した効果が顕著に得られなくなってしまうという同様の問題を生じていた。
【先行技術文献】
【特許文献】
【０００９】
【特許文献１】特開２００６−２５９１６号公報
【特許文献２】特開２００４−２０２０２４号公報
【発明の概要】
【発明が解決しようとする課題】
【００１０】
本発明は、このような問題を解決するために成されたものであり、患者のベッドの近傍に設置した端末の表示部の寿命に達するまでの期間を長くしたり、省電力を実現したりする効果を顕著にすることを目的とする。
【課題を解決するための手段】
【００１１】
上述した課題を解決するために、本発明では、患者情報およびナースコール子機から呼び出しが行われていることを示す呼出情報を少なくとも表示可能な表示部を備えた端末をベッド近傍に設置し、ベッド上に人が居ることを検知するベッドセンサーと端末に近付く人を検知する人感センサーとを設け、ベッドセンサーがベッド上の人を検知し、かつ、人感センサーが人を検知した場合には、表示部に電力を供給し、ベッドセンサーがベッド上の人を検知し、かつ、人感センサーが人を検知しない場合でも、ナースコール子機が呼び出しを行っている場合には表示部に電力を供給して呼出情報を表示させ、それ以外の場合には、表示部に電力を供給しないようにしている。
【発明の効果】
【００１２】
上記のように構成した本発明によれば、ベッド上に患者が居て、そのベッドの近傍に設置された端末に医療従事者が近付いた場合には、表示部に電力が供給され、ベッド上に患者が居て、その患者がナースコール子機により呼び出しを行った場合には、表示部に電力が供給されて呼出情報が表示部に表示される。そのため、患者がベッドから離れている状態やベッドが使用されていない（空きベッドの）状態などの、ベッド上に患者が居ない場合には表示部に電力が供給されない。一方、ベッド上に患者が居る場合でも、ベッド上の患者が呼び出しを行っていないときには、医療従事者が端末に近付かない限り表示部に電力が供給されない。従って、ベッド近傍の端末の表示部に対して、適切に電力が供給されるようになり、表示部の寿命に達するまでの期間を長くしたり、省電力を実現したりする効果を顕著にすることができる。
【図面の簡単な説明】
【００１３】
【図１】本実施形態によるナースコールシステムの構成例を示すブロック図である。
【図２】本実施形態によるナースコールシステムの表示装置へ電力が供給される場合の例を示す図である。
【図３】本実施形態によるナースコールシステムの表示装置へ電力が供給されない場合の例を示す図である。
【発明を実施するための形態】
【００１４】
以下、本発明の一実施形態を図面に基づいて説明する。図１は、本実施形態によるナースコールシステムの構成例を示すブロック図である。図１において、１はナースコール子機であり、患者のベッドの近傍などに設置され、患者が医療従事者を呼び出す際に使用される。ここで、ナースコール子機１は、子機制御部２、呼出操作部３、子機インターフェース４を備えて構成されている。１０は端末であり、患者のベッドの近傍の壁面などに設置され、患者の氏名や患者が呼び出しを行ったことを表示する。ここで、端末１０は、端末制御部（特許請求の範囲の制御装置に該当する）１１、端末インターフェース１２、表示部１３、人感センサー１４、端末記憶部１５を備えて構成されている。
【００１５】
２０はベッドセンサーであり、ベッド上などに設置され、ベッド上の荷重を検知することで、ベッド上に人が居ることを検知する。ここで、ベッドセンサー２０は、端末１０に接続されており、ベッド上の人を検知した場合に、患者検知信号を端末１０へ出力する。なお、本実施形態では、ベッドセンサー２０が荷重を検知することでベッド上に人が居ることを検知しているが、これに限定されない。例えば、ベッドセンサー２０がベッド上に赤外線光を照射して、その赤外線光の遮断を検知することでベッド上に人が居ることを検知するようにしても良い。
【００１６】
３０はナースコール親機であり、医療従事者が常駐するナースステーションなどに設置され、医療従事者によって使用される。ここで、ナースコール親機３０は、親機制御部３１、親機インターフェース３２、親機記憶部３３、報知部３４を備えて構成されている。そして、端末１０とナースコール親機３０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、端末１０またはナースコール子機１とナースコール親機３０との通信の制御を行う。なお、周知のナースコールシステムと同様に、医療従事者が携行する携帯端末とＰＢＸとをナースコール親機３０に連動するようにしても良い。
【００１７】
子機制御部２は、ナースコール子機１の各構成要素を後述するように制御するためのものであり、ＣＰＵ（Central Processing Unit）などにより構成されている。呼出操作部３は、ナースコール子機１の筐体に取り付けられており、患者が医療従事者を呼び出す際に、患者によって操作される。子機インターフェース４は、ナースコール子機１と端末１０とを接続して通信を行うためのものである。ここで、呼出操作部３が操作されると、子機制御部２は呼出信号を生成し、子機インターフェース４は、子機制御部２にて生成された呼出信号を端末１０へ出力する。また、呼出信号には、呼出操作部３が操作されたナースコール子機１を他のナースコール子機１と識別するための子機識別情報（例えば、ベッド番号などの情報）が含まれている。
【００１８】
端末制御部１１は、端末１０の各構成要素を後述するように制御するためのものであり、ＣＰＵなどにより構成されている。端末インターフェース１２は、端末１０とナースコール子機１とを接続して通信を行うとともに、端末１０とナースコール親機３０とを接続して通信を行うためのものである。ここで、端末インターフェース１２がナースコール子機１から呼出信号を入力すると、端末インターフェース１２は、入力した呼出信号をそのままナースコール親機３０へ出力する。
【００１９】
表示部１３は、液晶ディスプレイなどにより構成されており、端末１０の筐体に内蔵されている。端末制御部１１は、表示部１３へ供給される電力の制御を行うとともに、表示部１３に表示される内容の制御を行う。すなわち、後述する条件に応じて表示部１３へ電力を供給するとともに、この端末１０に接続されているナースコール子機１によって呼び出しを行った患者の氏名を含む呼出情報をナースコール親機３０から取得して、後述する条件に応じて表示部１３へ表示するようにしている。
【００２０】
人感センサー１４は、超音波センサーや焦電型赤外線センサーによって構成されており、端末１０の近傍に居る人を検知する。ここで、人感センサー１４は、ベッド上に居る人の検知は行わない。すなわち、人感センサー１４の検知方向がベッド上にならないように、人感センサー１４は端末１０の筐体に設置されている。また、人感センサー１４が端末１０の近傍の人を検知した場合には、人感センサー１４は、人検知信号を端末制御部１１へ出力する。
【００２１】
端末記憶部１５は、メモリやハードディスクなどの記憶装置により構成されており、端末１０に接続されたナースコール子機１を使用している患者の氏名などの患者情報およびそのナースコール子機１の子機識別情報を記憶する。ここで、端末制御部１１は、ナースコール親機３０から患者情報および子機識別情報を予め取得して端末記憶部１５に記憶させておく。
【００２２】
親機制御部３１は、ナースコール親機３０の各構成要素を後述するように制御するためのものであり、ＣＰＵなどにより構成されている。親機インターフェース３２は、ナースコール親機１０と端末１０とを接続して通信を行うためのものである。ここで、親機インターフェース３２は、端末１０から出力された呼出信号を入力する。親機記憶部３３はメモリやハードディスクなどの記憶装置により構成されており、子機識別情報と患者の氏名などを示す患者情報とを関連付けて記憶している。報知部３４は、スピーカやランプ、表示ディスプレイなどにより構成されており、患者からの呼び出しを報知するためのものである。親機インターフェース３２が呼出信号を入力すると、親機制御部３１は親機記憶部３３を参照して、呼出信号に含まれる子機識別情報に関連付けて記憶されている患者情報を抽出する。そして、親機制御部３１は、報知部３４を動作させて、抽出した患者情報によって特定される患者が呼び出しを行っていることを、スピーカからの音声の出力やランプの点灯／点滅、表示ディスプレイの表示などにより報知するようにしている。
【００２３】
このとき、親機制御部３１は、抽出した患者情報および呼出信号に含まれる子機識別情報を含む呼出情報を生成して、親機インターフェース３２により端末１０へ出力する。この呼出情報は、患者の氏名を示す患者情報、患者が使用しているベッドの番号を示す子機識別情報、呼び出しが行われていることを示す文字列を含む情報である。また、患者が入院した場合や、患者のベッドが切り替わった場合などには、端末１０によって患者情報を新たに取得する操作が行われる。この場合、親機制御部３１は、親機インターフェース３２を制御して、親機記憶部３３から抽出した新しい患者情報を端末１０へ出力する。
【００２４】
次に、本実施形態によるナースコールシステムの表示部１３へ電力が供給される場合の例を説明する。図２は、本実施形態によるナースコールシステムの表示部１３へ電力が供給される場合の例を示す図である。ここで、ベッド上の患者の氏名を示す患者情報および子機識別情報は、予め端末１０の端末記憶部１５に記憶されているものとする。
【００２５】
（１）図２（ａ）に示すように、患者がベッド上に居る場合、ベッドセンサー２０によってベッド上の患者が検知され、患者検知信号が端末１０へ出力される。また、医療従事者が端末１０の近傍に居る場合、人感センサー１４によって医療従事者が検知され、人検知信号が端末制御部１１へ出力される。端末１０の端末制御部１１は、患者検知信号および人検知信号を入力しているので、表示部１３へ電力を供給し、端末記憶部１５から患者情報および子機識別情報を取得して表示部１３に表示させる。このようなケースの例としては、患者がベッド上に居て、医療従事者がその患者の看護を行う場合などが考えられる。
【００２６】
（２）図２（ｂ）に示すように、患者がベッド上に居る場合、ベッドセンサー２０によってベッド上の患者が検知され、患者検知信号が端末１０へ出力される。また、医療従事者が端末１０の近傍に居ない場合、人感センサー１４によって医療従事者が検知されることはなく、人検知信号は端末制御部１１へ出力されない。この状態で、ベッド上の患者がナースコール子機１の呼出操作部３を操作すると、子機制御部２は呼出信号を生成して子機インターフェース４により呼出信号を端末１０へ出力する。端末１０の端末制御部１１は、患者検知信号を入力しているものの、人検知信号を入力していない。しかしながら、端末１０が呼出信号を入力しているため、端末制御部１１は表示部１３へ電力を供給し、ナースコール親機３０から患者情報および子機識別情報を含む呼出情報を取得して表示部１３に表示させる。
【００２７】
このようなケースの例としては、ベッド上の患者がナースコール子機１により呼び出しを行い、その報知に応答した医療従事者が患者の居る病室に入ってくるような場合が考えられる。このような場合では、病室内に複数の患者が居ても、医療従事者は病室に入った時点で、各端末１０の表示部１３の表示を確認することができる。
【００２８】
一方、本実施形態によるナースコールシステムの表示部１３へ電力が供給されない場合の例を説明する。図３は、本実施形態によるナースコールシステムの表示部１３へ電力が供給されない場合の例を示す図である。
【００２９】
（３）図３（ａ）に示すように、患者がベッド上に居ない場合、ベッドセンサー２０によってベッド上の患者が検知されることはなく、患者検知信号は端末１０へ出力されない。また、医療従事者が端末１０の近傍に居る場合、人感センサー１４によって医療従事者が検知され、人検知信号が端末制御部１１へ出力される。この状態で、ベッド上には患者が居ないため、ナースコール子機１の呼出操作部３が操作されることもない。端末１０の端末制御部１１は、人検知信号を入力しているものの、患者検知信号を入力していない。また、端末１０は呼出信号を入力していない。そのため、端末制御部１１は表示部１３へ電力を供給しない。
【００３０】
（４）図３（ｂ）に示すように、患者がベッド上に居る場合、ベッドセンサー２０によってベッド上の患者が検知され、患者検知信号が端末１０へ出力される。また、医療従事者が端末１０の近傍に居ない場合、人感センサー１４によって医療従事者が検知されることはなく、人検知信号は端末制御部１１へ出力されない。この状態で、ベッド上の患者がナースコール子機１の呼出操作部３を操作していない場合には、呼出信号が端末１０へ出力されることはない。端末１０の端末制御部１１は、患者検知信号を入力しているものの、人検知信号を入力していない。また、端末１０は呼出信号を入力していない。そのため、端末制御部１１は表示部１３へ電力を供給しない。
【００３１】
（５）図３（ｃ）に示すように、患者がベッド上に居ない場合、ベッドセンサー２０によってベッド上の患者が検知されることはなく、患者検知信号は端末１０へ出力されない。また、医療従事者が端末１０の近傍に居ない場合、人感センサー１４によって医療従事者が検知されることはなく、人検知信号は端末制御部１１へ出力されない。この状態で、ベッド上には患者が居ないため、ナースコール子機１の呼出操作部３が操作されることもない。端末１０の端末制御部１１は、人検知信号も患者検知信号も入力していない。また、端末１０は呼出信号を入力していない。そのため、端末制御部１１は表示部１３へ電力を供給しない。
【００３２】
以上詳しく説明したように、本実施形態によれば、呼出操作部３を操作することにより呼び出しを行うナースコール子機１と、ナースステーションに設置され、ナースコール子機１からの呼び出しを報知部３４にて報知するナースコール親機３０と、ベッドの近傍に設置され、患者の氏名を示す患者情報およびナースコール子機１から呼び出しが行われていることを示す呼出情報を少なくとも表示する表示部１３と近付く人を検知する人感センサー１４と表示部１３への電力の供給および表示を制御する端末制御部１１とを備えた端末１０と、ベッド上に人が居ることを検知するベッドセンサー２０とを備え、端末制御部１１は、ベッドセンサー２０がベッド上の人を検知して、人感センサー１４が人を検知した場合には表示部１３に電力を供給し、ベッドセンサー２０がベッド上の人を検知して人感センサー１４が人を検知しない場合でも、ナースコール子機１が呼び出しを行っているときには表示部１３に電力を供給して表示部１３に呼出情報を表示させ、それ以外の場合には、表示部１３に電力を供給しないようにしている。
【００３３】
これにより、ベッド上に患者が居て、そのベッドの近傍に設置された端末１０に医療従事者が近付いた場合には、表示部１３に電力が供給され、ベッド上に患者が居て、その患者がナースコール子機１により呼び出しを行った場合には、表示部１３に電力が供給されて呼出情報が表示されるようになる。そのため、患者がベッドから離れている状態やベッドが使用されていない（空きベッドの）状態などの、ベッド上に患者が居ない場合には表示部１３に電力が供給されなくなる。一方、ベッド上に患者が居る場合でも、ベッド上の患者が呼び出しを行っていないときには、医療従事者が端末１０に近付かないと表示部１３に電力が供給されなくなる。
【００３４】
従って、ベッドセンサー２０がベッド上の人を検知した場合に端末１０の表示部１３に電力を供給するようにした従来技術や、人感センサー１４が端末１０の近傍の人を検知した場合に端末１０の表示部１３に電力を供給するようにした従来技術に比べて、表示部１３に対して適切に電力が供給されるようになる。また、患者が呼び出しを行った場合には、医療従事者が端末１０の近傍に居るか居ないかに関わらず、呼出情報が表示部１３に表示されるため、表示部１３を有効に活用することができる。そのため、表示部１３の寿命に達するまでの期間を長くしたり、省電力を実現したりする効果を顕著にすることができる。
【００３５】
なお、前述した実施形態では、端末制御部１１は、上述した各条件で表示部１３への電力の供給を制御しているが、これに限定されない。例えば、端末制御部１１が表示部１３のバックライトなどの表示部１３の寿命や省電力に影響する構成要素に対して電力の供給を制御するようにしても良い。具体的には、ベッドセンサー２０がベッド上の人を検知して、人感センサー１４が人を検知した場合には表示部１３のバックライトに電力を供給し、ベッドセンサー２０がベッド上の人を検知して人感センサー１４が人を検知しない場合でも、ナースコール子機１が呼び出しを行っているときには表示部１３のバックライトに電力を供給して表示部１３に呼出情報を表示させ、それ以外の場合には、表示部１３のバックライトに電力を供給しないようにする。
【００３６】
また、前述した実施形態では、人感センサー１４を端末１０に内蔵しているが、これに限定されない。例えば、人感センサー１４を端末１０と別に設置するようにしても良い。このようにすることで、端末１０の設置場所が壁面に限定されなくなる。例えば、ベッドの近傍に取り付けたアームの先端に端末を取り付けるようにしても良い。この場合、アームがフレキシブルに可動しても端末１０に人感センサー１４が内蔵されていないため、人感センサー１４が医療従事者を検知することに支障が出ることがない。
【００３７】
また、前述した実施形態では、端末制御部１１により表示部１３への電力の供給の制御が行われているが、これに限定されない。例えば、制御装置を端末１０と別に設置し、表示部１３（または端末１０）への電力の供給の制御を行わせるようにしても良い。
【００３８】
また、前述した実施形態では、ナースコール子機１が端末１０に接続されているが、これに限定されない。例えば、ナースコール子機１とナースコール親機３０とを端末１０を介さずに接続するようにしても良い。
【００３９】
また、前述した実施形態では、端末制御部１１は、患者情報および呼出情報を表示部１３に表示させるようにしているが、これに限定されない。例えば、看護計画や患者の症状、院内の案内などを示す情報を表示部１３に表示させるようにしても良い。
【００４０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４１】
１    ナースコール子機
２    子機制御部
３    呼出操作部
４    子機インターフェース
１０    端末
１１    端末制御部
１２    端末インターフェース
１３    表示部
１４    人感センサー
１５    端末記憶部
２０    ベッドセンサー
３０    ナースコール親機
３１    親機制御部
３２    親機インターフェース
３３    親機記憶部
３４    報知部
【図１】
2011206254.tif 000003
【図２】
2011206254.tif 000004
【図３】
2011206254.tif 000005